(57)【要約】【課題】  管状ＥＥＦＬの端部外側に形成された電極に、ＥＥＦＬを破損させることなく、簡単にかつ十分な接圧で確実に接続でき、コストダウンを図れるコネクタを提供する。【解決手段】  上方から電極1aが挿入される開口部8Aを有し、基板2 に取り付けられるベースハウジング4Aと、ベースハウジング4Aに組み込まれ、弾性を有するコンタクト7Aと、上方から押圧されることにより下方のベースハウジング4Aに装着されるカバーハウジング5Aと、カバーハウジング5Aおよびベースハウジング4Aと一体に形成され、ベースハウジング4Aの上方へ移動可能にカバーハウジング5Aをベースハウジング4Aに連結する可撓性のヒンジ部6Aとを備えている。そして、カバーハウジング5Aが、開口部8Aに電極1aを挿入されたベースハウジング4Aに装着されることにより、コンタクト7Aが電極1aに接圧をもって接続する。【選択図】  図３
2006120428.tif 000002
【特許請求の範囲】
【請求項１】
管状のＥＥＦＬの端部外側に形成された電極に適用されるコネクタであって、
上方から前記電極が挿入される開口部を有し、基板に取り付けられるベースハウジングと、
そのベースハウジングに組み込まれ、弾性を有するコンタクトと、
上方から押圧されることにより下方の前記ベースハウジングに装着されるカバーハウジングと、
そのカバーハウジングおよび前記ベースハウジングと一体に形成され、そのベースハウジングの上方へ移動可能に前記カバーハウジングをベースハウジングに連結する可撓性のヒンジ部とを備え、
前記カバーハウジングが、前記開口部に電極を挿入されたベースハウジングに装着されることにより、前記コンタクトが電極に接圧をもって接続するＥＥＦＬ用コネクタ。
【請求項２】
管状のＥＥＦＬの端部外側に形成された電極に適用されるコネクタであって、
基板に取り付けられるベースハウジングと、
そのベースハウジングに組み込まれ、弾性を有するコンタクトと、
前方から前記電極が挿入される開口部を有し、上方から押圧されることにより下方の前記ベースハウジングに装着されるカバーハウジングとを備え、
前記開口部に電極を挿入されたカバーハウジングが前記ベースハウジングに装着されることにより、前記コンタクトが電極に接圧をもって接続するＥＥＦＬ用コネクタ。
【請求項３】
管状のＥＥＦＬの端部外側に形成された電極に適用されるコネクタであって、
基板に取り付けられるベースハウジングと、
そのベースハウジングに組み込まれ、弾性を有するコンタクトと、
前方から前記電極が挿入される開口部を有し、上方から押圧されることにより下方の前記ベースハウジングに装着されるカバーハウジングと、
そのカバーハウジングおよび前記ベースハウジングと一体に形成され、そのベースハウジングの上方へ移動可能に前記カバーハウジングをベースハウジングに連結する可撓性のヒンジ部とを備え、
前記開口部に電極を挿入されたカバーハウジングが前記ベースハウジングに装着されることにより、前記コンタクトが電極に接圧をもって接続するＥＥＦＬ用コネクタ。
【請求項４】
請求項１から３のいずれか一項において、
前記電極の縦断面が円形または矩形であるＥＥＦＬ用コネクタ。
【請求項５】
請求項１から４のいずれか一項において、
前記電極にコンタクトが複数の接線または接点で接圧をもって接続するＥＥＦＬ用コネクタ。
【発明の詳細な説明】
【技術分野】
【０００１】
本発明は、管状のＥＥＦＬの端部外側に形成された電極に適用されるコネクタである。
【背景技術】
【０００２】
従来、液晶画面のバックライトなどとなる蛍光ランプ（蛍光管）が挿入、嵌合されるコネクタとして、特許文献１の図２に示されるようなものがある。このコネクタは、ランプの端部においてガラス管内部から突出したピン状の電極（導線）をもつ、ＣＣＦＬ（ColdCathode Fluorescent Lamp,  冷陰極型蛍光ランプ）に適用されるもので、ランプの電極が、対向するコンタクトの両端部間に挿入されるとともに、コネクタのハウジング（ランプ支持台）本体とは別体に形成されたスライダーをハウジング内に挿入することにより、コンタクトの両端部にランプの電極を挟圧させ、接圧を向上させている。接圧を向上させるのは、接触部分に高電圧がかかるため、接圧が不十分であると導通の抵抗となって発熱し、損傷に至るおそれがあるからである。
【０００３】
このような状況にあって、次世代蛍光ランプとして、ランプの端部においてガラス管の外側に形成された電極をもつ、ＥＥＦＬ（External Electrode Fluorescent Lamp ）が、近年注目を集めているが、ＣＣＦＬなどとは電極の形状、構造が全く異なるため、前記のようなコネクタは適用できず、例えば、電極にリード線の一端を手作業ではんだ付けして、他端をコネクタを介してインバータ回路に接続している。
【特許文献１】特開２００２−３６７４２２号公報（図２（ａ）〜（ｃ）、段落００２３）
【発明の開示】
【発明が解決しようとする課題】
【０００４】
しかし、ＥＥＦＬを構成するガラス管は、例えば直径４ｍｍで長さが３００ｍｍと細長いので、電極に手作業ではんだ付けを行うと、時間、手間、コストがかかるばかりか、破損のおそれもある。
【０００５】
本発明は前記従来の問題に鑑みなされたもので、管状のＥＥＦＬの端部外側に形成された電極に、ＥＥＦＬを破損させることなく、簡単に、かつ十分な接圧で確実に接続でき、コストダウンを図れるコネクタを提供することを目的としている。
【課題を解決するための手段】
【０００６】
前記目的を達成するために、本発明の第１構成のＥＥＦＬ用コネクタは、管状のＥＥＦＬの端部外側に形成された電極に適用されるコネクタであって、上方から前記電極が挿入される開口部を有し、基板に取り付けられるベースハウジングと、そのベースハウジングに組み込まれ、弾性を有するコンタクトと、上方から押圧されることにより下方の前記ベースハウジングに装着されるカバーハウジングと、そのカバーハウジングおよび前記ベースハウジングと一体に形成され、そのベースハウジングの上方へ移動可能に前記カバーハウジングをベースハウジングに連結する可撓性のヒンジ部とを備えている。そして、前記カバーハウジングが、前記開口部に電極を挿入されたベースハウジングに装着されることにより、前記コンタクトが電極に接圧をもって接続する。
【０００７】
第１構成のＥＥＦＬ用コネクタによれば、ＥＥＦＬの電極をベースハウジングの開口部に挿入し、カバーハウジングをベースハウジングの上方から押圧して装着するだけで、コンタクトが適切な弾力で電極に接圧をもって接続するので、ＥＥＦＬを破損させることなく、簡単に、かつ十分な接圧で確実に電極に接続でき、コストダウンを図れる。
【０００８】
本発明の第２構成のＥＥＦＬ用コネクタは、管状のＥＥＦＬの端部外側に形成された電極に適用されるコネクタであって、基板に取り付けられるベースハウジングと、そのベースハウジングに組み込まれ、弾性を有するコンタクトと、前方から前記電極が挿入される開口部を有し、上方から押圧されることにより下方の前記ベースハウジングに装着されるカバーハウジングとを備えている。そして、前記開口部に電極を挿入されたカバーハウジングが前記ベースハウジングに装着されることにより、前記コンタクトが電極に接圧をもって接続する。
【０００９】
第２構成のＥＥＦＬ用コネクタによれば、ＥＥＦＬの電極をカバーハウジングの開口部に挿入し、そのカバーハウジングをベースハウジングの上方から押圧して装着するだけで、コンタクトが適切な弾力で電極に接圧をもって接続するので、ＥＥＦＬを破損させることなく、簡単に、かつ十分な接圧で確実に電極に接続でき、コストダウンを図れる。
【００１０】
本発明の第３構成のＥＥＦＬ用コネクタは、管状のＥＥＦＬの端部外側に形成された電極に適用されるコネクタであって、基板に取り付けられるベースハウジングと、そのベースハウジングに組み込まれ、弾性を有するコンタクトと、前方から前記電極が挿入される開口部を有し、上方から押圧されることにより下方の前記ベースハウジングに装着されるカバーハウジングと、そのカバーハウジングおよび前記ベースハウジングと一体に形成され、そのベースハウジングの上方へ移動可能に前記カバーハウジングをベースハウジングに連結する可撓性のヒンジ部とを備えている。そして、前記開口部に電極を挿入されたカバーハウジングが前記ベースハウジングに装着されることにより、前記コンタクトが電極に接圧をもって接続する。
【００１１】
第３構成のＥＥＦＬ用コネクタによっても、ＥＥＦＬの電極をカバーハウジングの開口部に挿入し、そのカバーハウジングをベースハウジングの上方から押圧して装着するだけで、コンタクトが適切な弾力で電極に接圧をもって接続するので、ＥＥＦＬを破損させることなく、簡単に、かつ十分な接圧で確実に電極に接続でき、コストダウンを図れる。
【００１２】
第１〜第３構成ののＥＥＦＬ用コネクタは、前記電極の縦断面が円形または矩形（正方形を含む長方形）であるＥＥＦＬに好適に用いることができる。また、前記電極にコンタクトが複数の接線または接点で接圧をもって接続してもよい。
【発明を実施するための最良の形態】
【００１３】
まず、本発明の第１実施形態であるＥＥＦＬ用コネクタについて説明する。図３に示すように、このコネクタ３Ａは、円管状すなわち縦断面が円形である管状のＥＥＦＬ１の端部外側に形成された電極１ａに適用される。ＥＥＦＬ１は、端部しか図示していないが、例えば直径４ｍｍで長さが３００ｍｍと細長く、その両端部外側に金属の被覆または導電性塗料などの被膜を設けることにより、電極１ａが形成されている。このコネクタ３Ａは、以下のベースハウジング４Ａと、コンタクト７Ａと、カバーハウジング５Ａと、ヒンジ部６Ａとを備えている。材質に関しては、ベースハウジング４Ａ、カバーハウジング５Ａおよびヒンジ部６Ａは、ＰＢＴ（ポリブチレンテレフタレート）などの絶縁材からなり、コンタクト７Ａは、ＭＡＸ２５１Ｃなどの銅合金からなる。
【００１４】
ベースハウジング４Ａは、上方から電極１ａが挿入される開口部８Ａを有し、また、正面図である図２に示すように、下方に延びる円柱状突起９および１対の可撓性の爪状突起１０を有しており、突起９，１０のそれぞれが、図１に示すプリント配線板である基板２に設けられた孔２ａ，２ｂに挿入されることにより、基板２に対し、位置決めされて取り付けられ、抜け止めされる。ベースハウジング４Ａの左右側壁の外側には、後述するカバーハウジング５Ａの係合手段１２Ａと係合するための段部である係合部１１Ａ（図１では手前側のみ示している）が設けられている。なお、各図において、基板２はコネクタ３が取り付けられる部分しか記載していないが、実際には、前後左右に広がっている。
【００１５】
コンタクト７Ａは、板状で弾性を有し、図６の側面図に示すように、電極１ａに接触する先端部から後方で上方の後端部まで延びてその後端部が屈曲して下方を向く接触部７Ａａと、接触部７Ａａの後端から下方に延びる取付部７Ａｂと、取付部７Ａｂの下端から屈曲して後方に延びるリード部７Ａｃとからなり、ベースハウジング４Ａに組み込まれている。リード部７Ａｃの大部分はベースハウジング４Ａから露出しているが、そこがインバータ回路などに接続されるようにはんだ付けされる。ベースハウジング４Ａに組み込まれたコンタクト７Ａにおいて、接触部７Ａａの先端部が最も前方（図６の右方向）にあり、前後方向（ＥＥＦＬ１の軸方向すなわち長手方向）に可撓である。
【００１６】
図３に示すように、カバーハウジング５Ａは、ベースハウジング４Ａに装着される前の状態では上を向いており、その状態で上方に延びる１対の板状の係合手段１２Ａを有している。図２の正面図に示すように、係合手段１２Ａの内側には爪１２Ａａが設けられており、係合手段１２Ａは左右方向に可撓である。カバーハウジング５Ａは、図３に矢印で示すように、ベースハウジング４Ａの上方で下向きにされて上方から押圧されると、係合手段１２Ａの先端部が外側に開いて爪１２Ａａがベースハウジング４Ａの係合部１１Ａに当接しながら下方に進み、爪１２Ａａがベースハウジング４Ａの係合部１１Ａを乗り越えて、係合手段１２Ａの先端部が内側に戻ることにより、ベースハウジング４Ａに装着される。このとき、図６に示すように、コンタクト７Ａの先端部７Ａａが適度に電極１ａの端面に接圧をもって接続する。
【００１７】
図１において左右方向に並列で配置されている１対の帯状のヒンジ部６Ａは、カバーハウジング５Ａおよびベースハウジング４Ａと一体に形成され、ベースハウジング４Ａの上方へ移動可能にカバーハウジング５Ａをベースハウジング４Ａに連結している。
【００１８】
次に、この第１実施形態のコネクタ３ＡをＥＥＦＬ１の電極１ａに適用する際の手順について説明する。作業者は、まず、図５に示すように、１対のコネクタ３Ａ１，３Ａ２を、ＥＥＦＬ１の長さに合わせて適切な間隔で対向するように、前述した要領で基板２に取り付ける。適切な間隔とは、ＥＥＦＬ１の電極１ａが挿入される前の状態で、図６のコンタクト７Ａの先端部７Ａａ間の距離がＥＥＦＬ１の長さよりもやや短く、ＥＥＦＬ１が挿入されてカバーハウジング５Ａがベースハウジング４Ａに装着された状態で、コンタクト７Ａの先端部７Ａａが適度に電極１ａの端面に接圧をもって接続するような間隔である。
【００１９】
なお、図１〜４、図６では、１対のコネクタ３Ａ１，３Ａ２のうち図５の左側の３Ａ１だけを３Ａとして記載しているが、以下において特に断りのない限り、両方のコネクタ３Ａ１，３Ａ２に対し、同時に同じ作業（図５における左右対称の作業）を行うものとする。後述する他の実施形態においても同様である。
【００２０】
次に、図３に示すように、ベースハウジング４Ａの開口部８Ａに、上方から電極１ａを挿入する。この段階では、電極１ａは、その端面の下縁がコンタクト７Ａの接触部７Ａａ（図６）の上に載り、左右方向への脱落をベースハウジング４Ａの両側壁により阻止されている状態である。
【００２１】
そして、作業者は、両手のそれぞれにコネクタ３Ａのカバーハウジング５Ａを１つずつ持ち、図３に矢印で示すように、カバーハウジング５Ａをヒンジ部６Ａのベースハウジング４Ａ側を支軸として回転させて、ベースハウジング４Ａの上方で下向きに位置させ、上方から押圧する。この押圧は、１対のコネクタ３Ａについて同時に行うことが特に重要である。すると、前述したように、カバーハウジング５Ａの係合手段１２Ａがベースハウジング４Ａの係合部１１Ａに係合し、カバーハウジング５Ａがベースハウジング４Ａに装着され、図４に示す状態となる。このとき、図６に示すように、コンタクト７Ａの先端部７Ａａが適度に電極１ａの端面に接圧をもって接続する。
【００２２】
細長いガラス管を用いているＥＥＦＬ１においては、一方の端部すなわち電極１ａが固定され、他方の電極１ａが支持されていないという状態は、支持されていない側の電極１ａに手や物が当たって振られると破損を招きやすいので、極力避けるべきである。第１実施形態のコネクタ３Ａを用いれば、そのような状態を避けることができる。つまり、１対のコネクタ３Ａを用い、ＥＥＦＬ１の両電極１ａを両方のベースハウジング４Ａの開口部８Ａ（図３）に挿入し、両方のカバーハウジング５Ａをベースハウジング４Ａの上方から同時に押圧して装着するだけで、コンタクト７Ａの接触部７Ａａが適切な弾力で電極１ａに接圧をもって接続するので、ＥＥＦＬ１を破損させることなく、簡単に、かつ十分な接圧で確実に電極１ａに接続でき、コストダウンを図れる。
【００２３】
なお、第１実施形態のコネクタ３Ａでは、コンタクト７Ａの接触部７Ａａが、ＥＥＦＬ１の電極１ａの端面に対しＥＥＦＬ１の軸方向（長手方向）に接圧をもって接続するので、例えば直管のように、１対のコネクタ３Ａを対向させて基板２に取り付けて対応できるような形状のＥＥＦＬには適しているが、例えばＵ字管のように、１対のコネクタを同方向に向けて基板２に取り付けないと対応できないような形状のＥＥＦＬには、接圧を確保できないため、適していない。
【００２４】
次に、本発明の第２実施形態であるＥＥＦＬ用コネクタについて説明する。図７の斜視図に示すように、このコネクタ３Ｂは、基板２に取り付けられるベースハウジング４Ｂと、そのベースハウジング４Ｂに組み込まれ、弾性を有するコンタクト７Ｂと、前方から電極１ａ（図９）が挿入される開口部８Ｂを有し、上方から押圧されることにより下方のベースハウジング４Ｂに装着されるカバーハウジング５Ｂとを備え、図９に示すように開口部８Ｂに電極１ａを挿入されたカバーハウジング５Ｂが、図１０に示すようにベースハウジング４Ｂに装着されることにより、図１１の側面図に示すようにコンタクト７Ｂが電極１ａに接圧をもって接続するＥＥＦＬ用コネクタである。
【００２５】
第２実施形態のコネクタ３Ｂは、前記第１実施形態のコネクタ３Ａ（図３など）と比べると、構成において、図７に示すようにヒンジ部６Ａ（図１）を備えずにベースハウジング４Ｂとカバーハウジング５Ｂが一体化していないこと、カバーハウジング５Ｂが、図９に示すように前方から電極１ａが挿入される開口部８Ｂを有すること、コンタクト７Ｂが、図１１に示すようにＥＥＦＬ１の電極１ａの側面に対しＥＥＦＬ１の径方向に接圧をもって接続することが異なるのみであるので、その他の部分については数字の部分が同じ符号を付して説明を省略する。
【００２６】
第２実施形態のコネクタ３Ｂのコンタクト７Ｂについて、より詳細に説明する。コンタクト７Ｂは、板状で弾性を有し、図８の側面図に示すように、ほぼ三角形に屈曲して後端部が前方へ水平に延びる接触部７Ｂａと、接触部７Ｂａの後端から下方へ屈曲して後方へ水平に延びる取付部７Ｂｂと、取付部７Ｂｂの後端からさらに後方へ水平に延びるリード部７Ｂｃとからなり、ベースハウジング４Ｂに組み込まれている。リード部７Ｂｃの一部はベースハウジング４Ｂから露出しているが、そこがインバータ回路などに接続されるようにはんだ付けされる。コンタクト７Ｂを組み込んだベースハウジング４Ｂにおいて、接触部７Ｂａで屈曲して形成した側面視で三角形の１頂点が、基板２から最も高い位置にあり、上下方向に可撓である。
【００２７】
次に、この第２実施形態のコネクタ３ＢをＥＥＦＬ１の電極１ａに適用する際の手順について説明する。作業者は、まず、前記第１実施形態のコネクタ３Ａ１，３Ａ２について図５で示したように、１対のコネクタ３Ｂを、ＥＥＦＬ１の長さに合わせて適切な間隔で対向するように、前述した要領で基板２に取り付ける。ただし、ここでいう適切な間隔とは、図１１に示すようにＥＥＦＬ１の電極１ａが挿入されたカバーハウジング５Ｂがベースハウジング４Ｂに装着された状態で、ＥＥＦＬ１が軸方向について１対のコネクタ３Ｂ間にやや余裕をもって収まるような間隔である。
【００２８】
次に、図９に示すように、カバーハウジング５Ｂの開口部８Ｂに、前方から電極１ａを挿入して、ベースハウジング４Ｂに対応させてその上方に位置させる。つまり、作業者は、両手のそれぞれに１つずつ持ったカバーハウジング５Ｂで、ＥＥＦＬ１の両電極１ａを挟持して、各カバーハウジング５Ｂを対応するベースハウジング４Ｂの上方に位置させる。
【００２９】
そして、作業者は、カバーハウジング５Ｂをベースハウジング４Ｂに対し上方から押圧する。この押圧は、１対のコネクタ３Ｂについて同時に行うことが特に重要である。すると、第１実施形態のコネクタ３Ａで前述したのと同様に、カバーハウジング５Ｂの係合手段１２Ｂがベースハウジング４Ｂの係合部１１Ｂに係合し、カバーハウジング５Ｂがベースハウジング４Ｂに装着され、図１０に示す状態となる。このとき、図１１に示すように、コンタクト７Ｂの先端部７Ｂａが適度に電極１ａの側面に接圧をもって接続する。
【００３０】
第２実施形態のコネクタ３Ｂを用いても、ＥＥＦＬ１の破損を招くような状態を避けることができる。つまり、１対のコネクタ３Ｂを用い、ＥＥＦＬ１の両電極１ａを両方のカバーハウジング４Ｂの開口部８Ｂ（図９）に挿入し、両方のカバーハウジング５Ｂをベースハウジング４Ｂの上方から同時に押圧して装着するだけで、コンタクト７Ｂの接触部７Ｂａが適切な弾力で電極１ａに接圧をもって接続するので、ＥＥＦＬ１を破損させることなく、簡単に、かつ十分な接圧で確実に電極１ａに接続でき、コストダウンを図れる。
【００３１】
なお、第２実施形態のコネクタ３Ｂでは、コンタクト７Ｂの接触部７Ｂａが、ＥＥＦＬ１の電極１ａの側面に対しＥＥＦＬ１の径方向に接圧をもって接続するので、例えばＵ字管のように、１対のコネクタを同方向に向けて基板２に取り付けないと対応できないような形状のＥＥＦＬについても、接圧を確保できるため、適用できる。
【００３２】
次に、本発明の第３実施形態であるＥＥＦＬ用コネクタについて説明する。図１２の斜視図に示すように、このコネクタ３Ｃは、基板２に取り付けられるベースハウジング４Ｃと、そのベースハウジング４Ｃに組み込まれ、弾性を有するコンタクト７Ｃと、前方から電極１ａ（図１３）が挿入される開口部８Ｃを有し、上方から押圧されることにより下方のベースハウジング４Ｃに装着されるカバーハウジング５Ｃと、そのカバーハウジング５Ｃおよびベースハウジング４Ｃと一体に形成され、そのベースハウジング４Ｃの上方へ移動可能にカバーハウジング５Ｃをベースハウジング４Ｃに連結する可撓性のヒンジ部６Ｃとを備え、図１３に示すように開口部８Ｃに電極１ａを挿入されたカバーハウジング５Ｃが、図１４に示すようにベースハウジング４Ｃに装着されることにより、第２実施形態の場合（図１１）と同様に図１３のコンタクト７Ｃが電極１ａに接圧をもって接続するＥＥＦＬ用コネクタである。
【００３３】
第３実施形態のコネクタ３Ｃは、前記第２実施形態のコネクタ３Ｂ（図７など）と比べると、構成において、前記第１実施形態のコネクタ３Ａ（図１など）と同様にヒンジ部６Ｃを備えてベースハウジング４Ｃとカバーハウジング５Ｃが一体化していることが異なるのみであるので、その他の部分については数字の部分が同じ符号を付して説明を省略する。ただし、第３実施形態のコネクタ３Ｃのヒンジ部６Ｃは、コネクタ３Ｃの一側部に設けられている。
【００３４】
第３実施形態のコネクタ３ＣをＥＥＦＬ１の電極１ａに適用する際の手順についても、前記第２実施形態のコネクタ３Ｂで説明したのと同様である。ただし、各カバーハウジング５Ｃを対応するベースハウジング４Ｃの上方に位置させる際に、作業者は、両手のそれぞれにコネクタ３Ｃのカバーハウジング５Ｃを１つずつ持ち、図１３に矢印で示すように、カバーハウジング５Ｃをヒンジ部６Ｃのベースハウジング４Ｃ側を支軸として回転させて、ベースハウジング４Ｃの上方で下向きに位置させる点が異なる。
【００３５】
第３実施形態のコネクタ３Ｃを用いても、ＥＥＦＬ１の破損を招くような状態を避けることができる。つまり、１対のコネクタ３Ｃを用い、ＥＥＦＬ１の両電極１ａを両方のカバーハウジング４Ｃの開口部８Ｃに挿入し、両方のカバーハウジング５Ｃをベースハウジング４Ｃの上方から同時に押圧して装着するだけで、コンタクト７Ｃの接触部７Ｃａが適切な弾力で電極１ａに接圧をもって接続するので、ＥＥＦＬ１を破損させることなく、簡単に、かつ十分な接圧で確実に電極１ａに接続でき、コストダウンを図れる。
【００３６】
なお、第３実施形態のコネクタ３Ｃでも、コンタクト７Ｃの接触部７Ｃａが、ＥＥＦＬ１の電極１ａの側面に対しＥＥＦＬ１の径方向に接圧をもって接続するので、例えばＵ字管のように、１対のコネクタを同方向に向けて基板２に取り付けないと対応できないような形状のＥＥＦＬについても、接圧を確保できるため、適用できる。
【００３７】
次に、本発明の第４実施形態であるＥＥＦＬ用コネクタについて説明する。図１５の斜視図に示すように、このコネクタ３Ｄは、前記第１実施形態のコネクタ３Ａ（図１など）と比べると、縦断面が矩形（正方形を含む長方形）、例えばここでは正方形である電極１ａに適用できるよう構成されていることが異なるのみであるので、その他の部分については数字の部分が同じ符号を付して説明を省略する。第４実施形態のコネクタ３ＤをＥＥＦＬ１の電極１ａに適用する際の手順についても、図１５〜１７に示すように前記第１実施形態のコネクタ３Ａで説明したのと同様である。
【００３８】
第４実施形態のコネクタ３Ｄを用いても、ＥＥＦＬ１の破損を招くような状態を避けることができる。つまり、１対のコネクタ３Ｄを用い、ＥＥＦＬ１の両電極１ａを両方のベースハウジング４Ｄの開口部８Ｄ（図１６）に挿入し、両方のカバーハウジング５Ｄをベースハウジング４Ｄの上方から同時に押圧して装着するだけで、コンタクト７Ｄの接触部７Ｄａが適切な弾力で電極１ａに接圧をもって接続するので、ＥＥＦＬ１を破損させることなく、簡単に、かつ十分な接圧で確実に電極１ａに接続でき、コストダウンを図れる。
【００３９】
なお、第４実施形態のコネクタ３Ｄでも、コンタクト７Ｄの接触部７Ｄａが、ＥＥＦＬ１の電極１ａの端面に対しＥＥＦＬ１の軸方向（長手方向）に接圧をもって接続するので、例えば直管のように、１対のコネクタ３Ｄを対向させて基板２に取り付けて対応できるような形状のＥＥＦＬには適しているが、例えばＵ字管のように、１対のコネクタを同方向に向けて基板２に取り付けないと対応できないような形状のＥＥＦＬには、接圧を確保できないため、適していない。また、第４実施形態の変形例として、縦断面が円形や矩形以外の楕円形、長円形、多角形などである電極に適用できるよう構成されていてもよい。
【００４０】
さて、以上の第１〜第４実施形態のコネクタ３Ａ〜３Ｄでは、各電極１ａに各コンタクト７Ａ〜７Ｄが単数の接線または接点で接圧をもって接続したが、次に説明する本発明の第５実施形態であるＥＥＦＬ用コネクタ３Ｅは、図１８に示すように、各コネクタ３Ｅが左右の側部のそれぞれに１つずつコンタクト７Ｅを備えているので（図１８では正面から見て右側部にある方だけが見えている）、１つのコネクタ３Ｅ全体で見れば、１つの電極１ａ（図１９）に２つのコンタクト７Ｅが合わせて２つの接線で接圧をもって接続する。その他の部分の構成については前記第１実施形態のコネクタ３Ａ（図１など）と同様であるので、数字の部分が同じ符号を付して説明を省略する。第５実施形態のコネクタ３ＥをＥＥＦＬ１の電極１ａに適用する際の手順についても、図１８〜２０に示すように前記第１実施形態のコネクタ３Ａで説明したのと同様である。
【００４１】
第５実施形態のコネクタ３Ｅを用いても、ＥＥＦＬ１の破損を招くような状態を避けることができる。つまり、１対のコネクタ３Ｅを用い、ＥＥＦＬ１の両電極１ａを両方のベースハウジング４Ｅの開口部８Ｅ（図１９）に挿入し、両方のカバーハウジング５Ｅをベースハウジング４Ｅの上方から同時に押圧して装着するだけで、左右に対向する１対のコンタクト７Ｅの接触部７Ｅａのそれぞれが適切な弾力で電極１ａに接圧をもって接続するので、ＥＥＦＬ１を破損させることなく、簡単に、かつ十分な接圧で確実に電極１ａに接続でき、コストダウンを図れる。
【００４２】
なお、第５実施形態のコネクタ３Ｅでも、コンタクト７Ｅの接触部７Ｅａが、ＥＥＦＬ１の電極１ａの側面に対しＥＥＦＬ１の径方向に接圧をもって接続するので、例えばＵ字管のように、１対のコネクタを同方向に向けて基板２に取り付けないと対応できないような形状のＥＥＦＬについても、接圧を確保できるため、適用できる。また、第５実施形態の変形例として、１つのコネクタが３つ以上のコンタクトを備えてもよく、１つのコンタクトが複数の接線または接点で電極に接圧をもって接続してもよい。
【図面の簡単な説明】
【００４３】
【図１】本発明の第１実施形態であるコネクタを基板に取り付ける前の状態を示す斜視図である。
【図２】同状態を示す正面図である。
【図３】同コネクタにＥＥＦＬを挿入した状態を示す斜視図である。
【図４】同コネクタのカバーハウジングをベースハウジングに装着した状態を示す斜視図である。
【図５】１対の同コネクタのカバーハウジングをベースハウジングに装着した状態を示す側面図である。
【図６】図５の左側を拡大して示す側面断面図である。
【図７】本発明の第２実施形態であるコネクタを基板に取り付ける前の状態を示す斜視図である。
【図８】同状態のコネクタのベースハウジングおよびコンタクトを示す側面図である。
【図９】同コネクタにＥＥＦＬを挿入した状態を示す斜視図である。
【図１０】同コネクタのカバーハウジングをベースハウジングに装着した状態を示す斜視図である。
【図１１】同状態を示す側面図である。
【図１２】本発明の第３実施形態であるコネクタを基板に取り付ける前の状態を示す斜視図である。
【図１３】同コネクタにＥＥＦＬを挿入した状態を示す斜視図である。
【図１４】同コネクタのカバーハウジングをベースハウジングに装着した状態を示す斜視図である。
【図１５】本発明の第４実施形態であるコネクタを基板に取り付ける前の状態を示す斜視図である。
【図１６】同コネクタにＥＥＦＬを挿入した状態を示す斜視図である。
【図１７】同コネクタのカバーハウジングをベースハウジングに装着した状態を示す斜視図である。
【図１８】本発明の第５実施形態であるコネクタを基板に取り付ける前の状態を示す斜視図である。
【図１９】同コネクタにＥＥＦＬを挿入した状態を示す斜視図である。
【図２０】同コネクタのカバーハウジングをベースハウジングに装着した状態を示す斜視図である。
【符号の説明】
【００４４】
１  ＥＥＦＬ
１ａ  電極
２  基板
３  コネクタ
４  ベースハウジング
５  カバーハウジング
６  ヒンジ部
７  コンタクト
８  開口部
【図１】
2006120428.tif 000003
【図２】
2006120428.tif 000004
【図３】
2006120428.tif 000005
【図４】
2006120428.tif 000006
【図５】
2006120428.tif 000007
【図６】
2006120428.tif 000008
【図７】
2006120428.tif 000009
【図８】
2006120428.tif 000010
【図９】
2006120428.tif 000011
【図１０】
2006120428.tif 000012
【図１１】
2006120428.tif 000013
【図１２】
2006120428.tif 000014
【図１３】
2006120428.tif 000015
【図１４】
2006120428.tif 000016
【図１５】
2006120428.tif 000017
【図１６】
2006120428.tif 000018
【図１７】
2006120428.tif 000019
【図１８】
2006120428.tif 000020
【図１９】
2006120428.tif 000021
【図２０】
2006120428.tif 000022